(57)【要約】　　　（修正有）【課題】電子レンジのヒーター放熱により飲食物を調理するときにも飲食物が焼けないようにするラック及びこのラックを有する電子レンジセットを提供する。【解決手段】飲食物が載せられる格子部２０１と、前記格子部２０１を支持する支持部２０２とを含み、電子レンジの調理室内に設けられる電子レンジ用ラックにおいて、前記格子部２０１には、液体を内部に収容するための多数本の中空管２１又は中空網状管が設けられる。【選択図】　　　　図２
2004093104.tif 000002
【特許請求の範囲】
【請求項１】
飲食物が載せられる格子部と、前記格子部を支持する支持部とを含み、電子レンジの調理室内に設けられる電子レンジ用ラックにおいて、
前記格子部には、液体を内部に収容するための多数本の中空管が設けられることを特徴とする電子レンジ用ラック。
【請求項２】
前記多数本の中空管は平行に配列され、前記支持部は各中空管の両端を支持し、前記支持部の少なくとも一つには、前記中空管を通して流動する液体を収容するための液体収容部が内部に設けられることを特徴とする請求項１に記載の電子レンジ用ラック。
【請求項３】
飲食物が載せられる格子部と、前記格子部を支持する支持部とを含み、電子レンジの調理室内に設けられる電子レンジ用ラックにおいて、
前記格子部には、液体を内部に収容するための中空網状管が設けられることを特徴とする電子レンジ用ラック。
【請求項４】
前記支持部は前記網状管の両側端を支持し、前記支持部の少なくとも一つには、前記中空網状管を通して流動する液体を収容するための液体収容部が内部に設けられることを特徴とする請求項３に記載の電子レンジ用ラック。
【請求項５】
前記中空管は腐食のない材料から製造されることを特徴とする請求項１に記載の電子レンジ用ラック。
【請求項６】
前記中空網状管は腐食のない材料から製造されることを特徴とする請求項３に記載の電子レンジ用ラック。
【請求項７】
前記腐食のない材料はステンレス鋼であることを特徴とする請求項５に記載の電子レンジ用ラック。
【請求項８】
前記腐食のない材料はステンレス鋼であることを特徴とする請求項５に記載の電子レンジ用ラック。
【請求項９】
前記支持部の少なくとも一つは、液体を前記液体収容部に注入するための注入口と、前記注入口を開閉するプラグとを含むことを特徴とする請求項２に記載の電子レンジ用ラック。
【請求項１０】
前記支持部の少なくとも一つは、液体を前記液体収容部に注入するための注入口と、前記注入口を開閉するプラグとを含むことを特徴とする請求項４に記載の電子レンジ用ラック。
【請求項１１】
請求項１のラックを備えることを特徴とする電子レンジセット。
【請求項１２】
請求項３のラックを備えることを特徴とする電子レンジセット。
【請求項１３】
ヒーターを備えた電子レンジの調理室内に設けられるラックにおいて、
飲食物が載せられる格子部と、
前記格子部を前記調理室の底面から離隔して支持する支持部と、
内部に液体を収容するため、前記格子部に設けられる多数本の中空管とを含んでなることを特徴とする電子レンジ用ラック。
【請求項１４】
前記多数本の中空管は平行に配置され、前記支持部から液体を収容することを特徴とする請求項１３に記載の電子レンジ用ラック。
【請求項１５】
前記支持部は前記中空管の両側端を支持し、前記中空管内に収容された液体を収容するための液体収容部を内部に有することを特徴とする請求項１４に記載の電子レンジ用ラック。
【請求項１６】
前記支持部は、
前記支持部の液体収容部に液体を注入するため、前記支持部の上部に設けられた注入口と、
前記注入口を開閉するプラグと、
前記支持部を支持するため、前記支持部の底面部に固着され下方に延長される支持脚とを含むことを特徴とする請求項１５に記載の電子レンジ用ラック。
【請求項１７】
前記支持部の少なくとも一つは、前記中空管を通して流動する液体を収容する液体収容部を内部に有することを特徴とする請求項１３に記載の電子レンジ用ラック。
【請求項１８】
前記支持部は前記格子部を支持するため前記中空管の両側端に設けられ、前記中空管は内部に液体を収容するため両端部が閉鎖されることを特徴とする請求項１３に記載の電子レンジ用ラック。
【請求項１９】
前記中空管はステンレス鋼又はアルミニウムから製造されることを特徴とする請求項１３に記載の電子レンジ用ラック。
【請求項２０】
ヒーターを備えた電子レンジの調理室内に設けられるラックにおいて、
飲食物が載せられる格子部と、
前記格子部を前記調理室の底面から離隔して支持する支持部と、
内部に液体を収容するため、前記格子部に設けられる多数本の中空網状管とを含んでなることを特徴とする電子レンジ用ラック。
【請求項２１】
前記支持部は前記中空網状管の両側端を支持し、前記中空網状管を通して流動する液体を収容するための液体収容部を内部に有することを特徴とする請求項２０に記載の電子レンジ用ラック。
【請求項２２】
前記支持部は、
前記支持部の液体収容部に液体を注入するため、前記支持部の上部に設けられた注入口と、
前記注入口を開閉するプラグと、
前記支持部を支持するため、前記支持部の底面部に固着され下方に延長される支持脚とを含むことを特徴とする請求項２１に記載の電子レンジ用ラック。
【請求項２３】
前記支持部の少なくとも一つは、前記中空網状管を通して流動する液体を収容する液体収容部を内部に有することを特徴とする請求項２０に記載の電子レンジ用ラック。
【請求項２４】
前記支持部は前記格子部を支持するため前記中空網状管の両側端に設けられ、前記中空網状管は内部に液体を収容するため両端部が閉鎖されることを特徴とする請求項２０に記載の電子レンジ用ラック。
【請求項２５】
前記中空網状管はステンレス鋼又はアルミニウムから製造されることを特徴とする請求項２０に記載の電子レンジ用ラック。
【請求項２６】
ヒーターを備えた電子レンジの調理室内に設けられるラックにおいて、
飲食物が載せられる格子部と、
前記格子部を前記調理室底面から離隔して支持する支持部と、
液体を収容するため、前記格子部内に設けられる中空管部とを含んでなることを特徴とする電子レンジ用ラック。
【請求項２７】
調理室と、
前記調理室内に取り付けられたヒーターと、
前記ヒーターの上部に飲食物を支持する格子部、前記格子部を前記調理室の底面から離隔して支持する支持部、及び液体を収容するため、前記格子部内に設けられた中空管を含み、前記調理室に着脱可能に挿着されるラックとを含んでなることを特徴とする電子レンジセット。
【請求項２８】
前記ヒーターが作動していないとき、前記ヒーターは前記調理室の後面部に位置し、前記ヒーターが動作するとき、前記ヒーターは前記調理室の下部に位置することを特徴とする請求項２７に記載の電子レンジセット。
【請求項２９】
前記中空管は多数本であることを特徴とする請求項２７に記載の電子レンジセット。
【請求項３０】
前記多数本の中空管は平行に配列され、前記支持部から液体を収容することを特徴とする請求項２９に記載の電子レンジセット。
【請求項３１】
前記支持部は前記中空管の両端を支持し、前記中空管内で流動する液体を収容するための液体収容部が内部に設けられたことを特徴とする請求項３０に記載の電子レンジセット。
【請求項３２】
前記支持部は、
前記支持部の液体収容部に液体を注入するため、前記支持部の上部に設けられた注入口と、
前記注入口を開閉するプラグと、
前記支持部を支持するため、前記支持部の底面部に固着され下方に延長される支持脚とを含むことを特徴とする請求項３１に記載の電子レンジセット。
【請求項３３】
前記支持部の少なくとも一つは、前記中空管を通して流動する液体を収容する液体収容部を内部に有することを特徴とする請求項２７に記載の電子レンジセット。
【請求項３４】
前記支持部は前記格子部を支持するため前記中空管の両側端に設けられ、前記中空管は内部に液体を収容するため両端部が閉鎖されることを特徴とする請求項２７に記載の電子レンジセット。
【請求項３５】
前記中空管はステンレス鋼又はアルミニウムから製造されることを特徴とする請求項２７に記載の電子レンジセット。
【発明の詳細な説明】
【０００１】
【発明の属する技術分野】
本発明は電子レンジ用ラック及び電子レンジセットに係り、より詳しくは飲食物が載せられる部位に、飲食物が焼けることを防止するための液体を収容するようになった電子レンジ用ラック及び電子レンジセットに関するものである。
【０００２】
【従来の技術】
一般に、伝統的な電子レンジは、マグネトロンから調理室に照射される電磁波を用いて飲食物内に含まれた水分子の回転振動を誘発し、回転振動による水分子間の摩擦熱により飲食物を調理する飲食物調理器具である。ところが、近年、電磁波による調理だけでなく、ヒーターで飲食物を暖める機能を有する電子レンジ（グリル型）、ファンで熱い空気を対流させて飲食物を調理するオーブンの機能を有する電子レンジ（対流型）など、新概念の電子レンジが実用化されている。
【０００３】
図１は飲食物に熱を放射して飲食物を調理する機能を有する電子レンジ１００と飲食物の載せられるラック１０３を示す。同図に示すように、電子レンジ１００は、ドア１０４と、前記ドア１０４により開閉される調理室１０１と、前記調理室１０１内に回転可能に設けられるヒーター１０２とを含む。前記ラック１０３は、飲食物が載せられる格子部１０３ａと、前記格子部１０３ａを前記電子レンジ１００の調理室１０１の底面から一定間隔で維持させる多数の支持脚１０３ｂとからなる。前記格子部１０３ａは、鉄にニッケル又はクロムを鍍金してなるものが一般的である。
【０００４】
前記のような電子レンジ１００及びラック１０３を用いて飲食物に熱を放射して飲食物を調理する場合、使用者は前記調理室１０１の後面に位置するヒーター１０２を、図１の矢印方向、つまり前記調理室１０１の前方に回転させ、前記ラック１０３を前記調理室１０１の内部に位置させた後、前記ラック１０３の格子部１０３ａ上に飲食物を載せ、前記電子レンジ１００を作動して飲食物を調理する。
【０００５】
しかし、かかる従来のラック１０３を用いて飲食物を調理するとき、ヒーター１０２の作動により、鉄にニッケル又はクロムをメッキしてなったラック１０３の格子部１０３ａが加熱され、この格子部１０３ａに載せられた魚などのような飲食物の前記格子部１０３ａとの接触部位が焼けることになる問題点が発生した。
【０００６】
【発明が解決しようとする課題】
したがって、本発明は前記のような問題点を解決するためになされたもので、その目的は、電子レンジのヒーター放熱により飲食物を調理するときにも飲食物が焼けないようにするラック及びこのラックを有する電子レンジセットを提供することにある。
【０００７】
【課題を解決するための手段】
前記のような目的を達成するため、本発明は、飲食物が載せられる格子部と、前記格子部を支持する支持部とを含み、電子レンジの調理室内に設けられる電子レンジ用ラックにおいて、前記格子部には、液体を内部に収容するための多数本の中空管又は中空網状管が設けられる電子レンジ用ラックを提供する。
【０００８】
【発明の実施の形態】
以下、本発明による好ましい実施形態を添付図面に基づいてより詳細に説明する。以下の説明において、説明の簡略化及び明確化のため、同一構成部に対しては同一符号を付け、反復説明は略する。
【０００９】
図２は本発明によるラック２００を示す斜視図である。同図に示すように、本発明によるラック２００は、飲食物が載せられる格子部２０１と、電子レンジの調理室に前記ラック２００を配置させるとき、前記格子部２０１を前記調理室の底面から所定間隔離隔させるため、前記格子部２０１を支持する支持部２０２とからなる。
【００１０】
前記格子部２０１は多数本の中空管２１を一定の間隔で平行に配置してなるものであり、前記中空管２１はステンレス材からなる。
【００１１】
前記多数本の中空管２１の両端は前記支持部２０２に支持される。前記支持部２０２について図２及び図３を参照して説明する。
【００１２】
図３は前記支持部２０２の内部を示す斜視図である。前記支持部２０２は内部に液体を収容する収容部２０を有し、前記収容部２０は前記中空管２１の内部に連通して、相互の液体の流動が可能になっている。図２に示すように、前記支持部２０２の収容部２０に液体を注入するため、前記支持部２０２の上面には注入口２２ａが設けられ、前記注入口２２ａにはこの注入口２２ａを開閉するプラグ２２ｂが設けられる。前記支持部２０２の下部には支持脚２３が設けられる。
【００１３】
図２に示すように、本発明による実施形態は、前記多数本の中空管２１の両端を支持する両支持部２０２に液体を収容する収容部２０を設け、この収容部２０に液体を注入するための注入口２２ａと、この注入口２２ａを開閉するプラグ２２ｂとを設けた。しかし、本発明はこのような具体的実施形態に限定されるものではない。すなわち、一側の支持部２０２に収容部２０、注入口２２ａ、プラグ２２ｂを設けなくても本発明の目的を達成することができる。さらに、前記支持部２０２を単に格子部２０１を支持する支持手段のみとして構成するとともに、前記格子部２０１をなす中空管２１の両端を閉鎖させ、前記閉鎖管の内部に液体を収容させる構成であっても本発明の目的を達成することができる。
【００１４】
図４は本発明のほかの実施形態による電子レンジのラックの斜視図である。同図に示すように、この実施形態のラック２００の格子部２０１は内部が中空になった網状管からなる。この中空網状管の両側には、前記中空網状管の内部と前記中空網状管を支持する支持部２０２の内部の収容部２０とを連通して、前記中空網状管の内部と前記収容部２０の内部で液体が流動できるようにする連通管２４が設けられる。
【００１５】
図２ないし図４に示すような本発明によるラック２００を用いて調理しようとする場合、前記支持部２０２の上面に設けられた注入口２２ａを通じて収容部２０に液体を注入するため、前記プラグ２２ｂを開放し、液体を前記収容部２０から溢れない程度に注入した後、前記プラグ２２ｂで前記注入口２２ａを閉じる。以後のラック２００の使用法は従来のラックと同一である。ところが、前記液体は水でもあり得、調理の焼き具合に応じて水以外の液体が使用できる。又、水に砂糖、食塩などを溶解させて用いることもできる。このような液体種の選択は、前記格子部２０１をどの温度まで制限するかによって決められ、最適の場合は、前記格子部２０１の温度を飲食物が焼けない程度の温度まで上昇させる液体であれば好ましい。前記液体を収容部２０に注入する過程は、使用者が行うことも、製品の生産段階で予め行ってもよく、使用者の選択によって液体の交換も可能である。
【００１６】
一般に考えられる液体としては水があるが、この水を用いる場合、前記ラック２００の格子部２０１を従来の如く鉄にニッケル又はクロムをメッキして構成すると、水の接触による腐食を来して製品の寿命を短縮する可能性があることに鑑み、本発明によるラック２００の格子部２０１は腐食のおそれがないステンレス材を採用する。もちろん、必ずしもステンレス材から製造する必要はなく、アルミニウムのように、腐食が少ないか腐食が全くない材質であって耐熱性に優れた材質であれば本発明の目的を達成することができる。
【００１７】
また、本発明は、前記のような構成のラックを備えた電子レンジセットを提供する。図５は本発明の一実施形態による電子レンジセット４００を示す斜視図である。同図に示すように、本発明の電子レンジセット４００は、調理室４０１と、前記調理室４０１内に取り付けられた回転ヒーター４０２と、図２に示すラック２００とからなる。もちろん、前記ヒーター４０２を使用しない場合、前記ヒーター４０２は前記調理室４０１の後方部に位置し、前記ヒーター４０２を使用する場合、前記ヒーター４０２は前記調理室４０１の下部に位置する。前記ラック２００は、前記ヒーター４０２を使用するとき、その上面に載せられた飲食物を支持するため、前記ヒーター４０２の上部に設けられる格子部２０１を含む。また、前記ラック２００は、前記ラック２００が前記調理室４０１内に配置されるとき、前記格子部２０１が前記調理室４０１の底面から離隔するように前記格子部２０１を支持する支持部２０２を含む。
【００１８】
以上に説明したもののほかにも、本発明が属する技術分野の通常の知識を持った者であれば、前記説明からほかの変形例を容易に作り出すことができるであろう。
【００１９】
【発明の効果】
以上説明したように、本発明は、ラックの格子部を構成する中空管又は中空網状管の内部に水を収容させることにより、電子レンジによる調理の際、前記格子部の過熱を抑え、前記格子部に接触する飲食物の部位が焼けることを防止することができる。
【図面の簡単な説明】
【図１】従来の電子レンジ用ラック及びそのラックを用いる電子レンジを示す斜視図である。
【図２】本発明の一実施形態による電子レンジ用ラックの斜視図である。
【図３】図２に示す支持部の内部を示す斜視図である。
【図４】本発明のほかの実施形態による電子レンジ用ラックを示す斜視図である。
【図５】本発明の一実施形態によるヒーター及びラックを備えた電子レンジセットを示す斜視図である。
【符号の説明】
２１　中空管
２２　支持脚
２２ａ　注入口
２２ｂ　プラグ
２４　連通管
２０１　格子部
２０２　支持部
【図１】
2004093104.tif 000003
【図２】
2004093104.tif 000004
【図３】
2004093104.tif 000005
【図４】
2004093104.tif 000006
【図５】
2004093104.tif 000007